(57)【要約】      （修正有）【課題】使用時はフェース面を打球目的方向と直角に合わせるガイドラインを長くすることができ、不使用時は収納スペースを小さくできるゴルフパターを提供する。【解決手段】ヘッド４にアダプタ７を結合延長して許容最大長さのガイドライン８をヘッド部２０の上面に設け、不使用時はアダプタ７の回転軸を中心に上側に折曲げて打球方向長さを折曲げ前の1/2以下にする。【選択図】図１
2014131523.tif 000002
【特許請求の範囲】
【請求項１】
シャフトとヘッド部で構成されるゴルフパターにおいて、前記ヘッド部はヘッドとアダプタで構成され、前記ヘッドの両側面と前記アダプタの両側面に設けたサイドリブ又はヒンジの接合面側の、いずれか一方に回転軸穴と節度溝を設け、他方に前記回転軸穴と節度溝と係合する回転軸と突起リブを設け、前記ヘッドの幅方向中央に設けた打球方向に伸びるセンタリブと、前記アダプタの幅方向中央に設けた打球方向に伸びるラインリブの上面に、フェース面と直角に連続した一定幅のガイドラインを設け、ゴルフパター不使用時には、前記回転軸を中心に、前記アダプタを前記ヘッドの上部に折曲げて収納出来る様にしたことを特徴とするゴルフパター。
【請求項２】
前記請求項１に記載のゴルフパターにおいて、前記ヘッドの両側面に設けたサイドリブの内側に回転軸穴と節度溝を設け、前記アダプタの両側面に設けたヒンジの外側に、前記回転軸穴と節度溝と係合する回転軸と突起リブを設け、少なくとも、ゴルフパター使用時には、前記回転軸と節度溝と突起リブによる節度力を発生させる節度機構で、前記ヘッドとアダプタを結合保持するようにしたことを特徴とするゴルフパター。
【請求項３】
前記請求項１又は２のいずれか１項に記載のゴルフパターにおいて、前記アダプタは高弾性樹脂材料で構成し、前記回転軸と突起リブを前記アダプタの幅方向内側に設け、幅方向に圧縮して、前記ヘッドの回転軸穴と節度溝の内側に挿入し、前記圧縮力を解放して、前記回転軸と節度機構が係合される様にしたことを特徴とするゴルフパター。
【請求項４】
前記請求項１から４のいずれか１項に記載のゴルフパターにおいて、前記ヘッドの幅方向中央に設けた打球方向に伸びるセンタリブと、前記アダプタの幅方向中央に設けた打球方向に伸びるラインリブの上面に設けた、連続した一定幅のガイドラインは、少なくとも白色材料で一定幅に構成したことを特徴とするゴルフパター。
【発明の詳細な説明】
【技術分野】
【０００１】
この発明は、ゴルフ用パターの使い勝手の改善に関するものである。
【背景技術】
【０００２】
下記文献に示す用に、打球を目的位置に正確に到達せるには、バターのフェース面を打球の進行方向と直角に正確に合わせることと、打球の強さを適切に合わせることで、特に「フェース面を打球目的方向と直角に合わせる」には、ガイドラインを出来るだけ長くして、打球目的方向と正確に一致させることが大切です。しかし、下記の引例文献に見られる様に、バターの打球方向長さを大きくすると、収納時にサックへの収納や、ゴルフバッグへの収納面積が大きくなり困りものです。
本案はこの問題を解決する為に、収納時にパターの打球方向長さ部を折曲げて1/2以下にすることを目的としたものです。
【先行技術文献】
【特許文献】
【０００３】
【特許文献１】特開２０１０―２０１０９０号公報
【発明の概要】
【０００４】
本発明は上記事情に鑑みてなされたもので、パターをヘッド部分とアダプタ部分に分けて、回転軸で結合し、使用時には水平に伸ばして一体化し、不使用時には、アダプタを上方向に９０度折り曲げて、収納面積を1/2以下とし、使い易さの改善と、収納スペース問題を同時に改善したものです。
勿論、この改造はJGAのゴルフ規則の趣旨を守って構成したもので、公的にも認可される範囲と理解して設計したものです。
【発明が解決しようとする課題】
【０００５】
（１）フェース面から打球方向に許容最大長さのガイドラインを設ける。
（２）不使用時は、アダプタ部分を上側に折曲げて、収納スペースを最少にする。
(３) 前記ガイドラインはヘッドの上面に設け、使用者が最も見易い設計とする。
【課題を解決するための手段】
【０００６】
（１）ヘッドにアダプタを結合延長して最大長さのガイドラインを構築する。
（２）収納時は、アダプタの回転軸を用いて上側に折曲げ、長さを1/2以下にする。
(３) 前記ガイドラインはヘッドの上面に設け、使用者が最も見易い設計とする。
【発明の効果】
【０００７】
前記解決手段により、従来品に比べ、下記の点が大幅に改善される。
（１）フェース面から打球方向に伸びるガイドラインが長く直線で見易い。
（２）不使用時はアダプタを上側に折曲げて、収納スペースを小さくできる。
(３) 不使用時の収納サックは、従来パターのサイズと略同一で、取り扱い容易。
【図面の簡単な説明】
【０００８】
【図１】本案の上面斜視図
【図２】本案の上面図
【図３】本案のヘッドとアダプタの分解斜視図
【図４】本案の側面図とアダプタ折曲げ図
【発明を実施するための形態】
【０００９】
以下に図１から図４を参照して本案の構造と作動を説明する。
図１は本案の上面斜視図、図２は本案の上面図、図３は本案のヘッドとアダプタの分解斜視図、図４は本案の側面図とアダプタを上側に折曲げ図である。
図1の２０は４ヘッドと７アダプタを結合したヘッド部で、１はシャフトで、先端には図示されていないグリップが装着されている。４ヘッドの５ヒール側には３ステーが一体的に上側に伸び、２フェース面側にオフセットして、その上部に３aシャフトホルダーが設けられ、前記１シャフトが圧入結合されている。
各部品の詳細を図３によって説明する。
４ヘッドは略逆ヨ字型に底面板付で亜鉛ダイカストで成形され、中央に４aセンタリブ、両側面には４bサイドリブが一定高さで形成され、４bサイドリブの右端内側には図３の左詳細に示した１１回転軸穴とその水平放射方向に一対の１２節度溝が設けられている。また、前記４aセンタリブと両側の４bサイドリブの右端上部の各角は、前記１１回転軸穴を中心にした円弧状にRカットされている。また、４aセンタリブの上面から右側側面に掛けて８ガイドラインが形成され、白色の塗料が充填されている。
その右側には、７アダプタが表現され、船の先端形状で着色されたポリアセタール樹脂によって形成され、中央に７aラインリブが設けられ、その上面には８ガイドラインが形成され、白色の塗料が充填されている。勿論白色塗料の代わりに白色リボンを貼り付けしても良い。
また前記白色線の中心に赤線を入れて目立ちやすくしても良い。
その両側面には７cサイドリブが設けられ、その左側端にL字型に内側に屈曲して７bヒンジが設けられ、その両外側に右詳細の様に、前記１１回転軸穴と係合する９回転軸と、その水平放射方向に、前記１２節度溝と係合する一対の１０突起リブが設けられている。また、９回転軸の先端は９a傾斜面が設けられ、この目的は、前記９回転軸を１１回転軸穴に嵌合させる時に、スライド挿入し易くするためである。前記両７bヒンジの外幅寸法L2は前記両４bサイドリブの内幅寸法L1より約0.2〜0.4mm程大きく設定され、組み立てはL2寸法部を圧縮し、L1寸法部に圧入してあり、１２節度溝と１０突起リブとの係合力を強めている。
また、１２節度溝の断面は図示していないがV字溝で、１０突起リブの断面はかまぼこ型に形成されている。この目的は節度力を得るためのもので、１２節度溝を円錐凹みとし、１０突起リブを円筒ドーム突起にしても良い。
また前記７bヒンジの外形は、前記９回転軸を中心に半円弧状に丸めてある。
前記４ヘッドと７アダプタを前記１１回転軸穴に９回転軸を挿入して組み立てると図１の状態になる。尚、７アダプタの底面7dは右端に向かて湾曲しながら上がっていて、これはバター操作で打球後に振り抜く時に底面が地面に接触することを防止するためである。
図２は上面から見た図で、JGAのゴルフ規則では、４ヘッドの最大幅A、２フェィス面の幅B、２０ヘッド部全長C  の関係はA<C  B＞A/2  B＞2C/3 と規定されており、いずれも満足している。
図４は側面図と７アダプタを４ヘッドの上側に折曲げた図面で、２０ヘッド部全長C に対し、折り曲げたアダプタ７’の仮想線で示す幅Dは  D＜C/2となり、１３収納サックへの収納は、従来の収納サックとほぼ同サイズ使用できる。
【００１０】
次に、取り扱い操作は、１３収納サックから取出して、７アダプタが図４の仮想線で示した上側に折り曲げられている状態から、１１回転軸穴を中心に右回転させて、実戦で示す使用状態に戻すと、１０突起リブは１２節度溝に係合して、７アダプタは４ヘッドの水平方向に安定結合する。
パターの使用は、通常のパターと変わらないが、特徴はボールを２フェース面左側に置き、２フェース面を打球目標方向に向けてセットした時、８ガイドラインが確実に打球目標方向に向かっているか確認し、その方向を維持したまま、パターをボール後方に下げ、適切な速度で、前記８ガイドラインの長手方向に真直ぐ打ち出せば、ボールは確実に８ガイドライン方向に進行することになる。
使用御は７アダプタを１１回転軸穴を中心に、前記節度力に抗して上側に折り曲げれば良い。この格納位置でも、前記水平時と同様に節度力を付与しても良い。
尚、図１〜３の実施例を変更して、４ヘッド側右端に７b相当のヒンジを設け、７アダプタの左端に４b相当のサイドリブを設けて、回転軸と回転軸穴の配置を図３と逆にしても良い。
【産業上の利用可能性】
【００１１】
最近のゴルフ熱はさらに高まり、プレーヤーの研究熱心から、ゴルフクラブや
パターの改善が盛んであるが、実用性を考えると道具の大きさを拡大すれば、取り扱いや運搬に支障が生ずる。本案はそんな観点から、使用性能は最高にして、取り扱いの容易な折曲げ可能なゴルフパターを発明したもので、多くのゴルフファンに歓迎されるものと期待している。
【符号の説明】
【００１２】
１シャフト、２フェース面、３ステー、３aシャフトホルダー、４ヘッド、４aセンタリブ、４bサイドリブ、５ヒール、６ト―、７アダプタ、７’折り曲げたアダプタ、７aラインリブ、７bヒンジ、７cサイドリブ、７d底面、８ガイドライン、９回転軸、９a傾斜面、１０突起リブ、１１回転軸穴、１２節度溝、１３収納サック、２０ヘッド部(４ヘッドと７アダプタの結合体)
【図１】
2014131523.tif 000003
【図２】
2014131523.tif 000004
【図３】
2014131523.tif 000005
【図４】
2014131523.tif 000006
【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
シャフトとヘッド部で構成され、前記ヘッド部の一部が上側に折曲げ可能なゴルフパターにおいて、前記ヘッド部はヘッドとアダプタで構成され、前記ヘッドの両側面と前記アダプタの両側面に設けたサイドリブ又はヒンジの接合面側の、いずれか一方に回転軸穴と節度溝を設け、他方に前記回転軸穴と節度溝と係合する回転軸と突起リブを設け、前記ヘッドと前記アダプタを節度機構により一体的に結合し、ゴルフパター不使用時には、前記回転軸を中心に、前記アダプタを前記ヘッドの上部に折曲げて収納出来る様にしたことを特徴とするゴルフパター。
【請求項２】
前記請求項１に記載のゴルフパターにおいて、前記ヘッドの両側面に設けたサイドリブの内側に回転軸穴と節度溝を設け、前記アダプタの両側面に設けたヒンジの外側に、前記回転軸穴と節度溝と係合する回転軸と突起リブを設け、少なくとも、ゴルフパター使用時には、前記回転軸と節度溝と突起リブにより、前記ヒンジの撓み力で節度力を発生させた節度機構により、前記ヘッドとアダプタを一体的に結合保持するようにしたことを特徴とするゴルフパター。
【請求項３】
前記請求項１又は２のいずれか１項に記載のゴルフパターにおいて、前記アダプタは高弾性樹脂材料で構成し、前記回転軸と突起リブを前記アダプタの幅方向で前記ヒンジの外側に設け、前記両ヒンジを内側方向に撓ませて、前記ヘッドの回転軸穴と節度溝の内側に挿入し、前記圧縮力を解放して、前記回転軸と節度機構が係合される様にしたことを特徴とするゴルフパター。
【請求項４】
前記請求項１から４のいずれか１項に記載のゴルフパターにおいて、前記ヘッドの幅方向中央に設けた打球方向に伸びるセンタリブと、前記アダプタの幅方向中央に設けた打球方向に伸びるラインリブの上面を、連続した一定幅のガイドラインとし、前記フェース面と直角に１本のガイドラインとして見える様に構成したことを特徴とするゴルフパター。
【手続補正書】
【提出日】平成24年4月27日(2012.4.27)
【手続補正１】
【補正対象書類名】特許請求の範囲
【補正対象項目名】全文
【補正方法】変更
【補正の内容】
【特許請求の範囲】
【請求項１】
シャフトとヘッド部で構成され、前記ヘッド部の一部が上側に折曲げ可能なゴルフパターにおいて、前記ヘッド部はヘッドとアダプタで構成され、前記ヘッドの前記シャフト取付け部より、打球方向の後方位置に、前記ヘッドの後端両側面と前記アダプタの前端両側面に設けたサイドリブ又はヒンジの互いの接合板面の、いずれか一方に回転軸穴と節度溝を設け、他方に前記回転軸穴と節度溝と係合する回転軸と突起リブを設け、前記アダプターの撓み変形を利用して前記ヘッドと前記アダプタの回転軸と節度機構を組合せ結合し、ゴルフパター不使用時には、前記回転軸を中心に、前記アダプタを前記ヘッドの上部で、前記シャフトの後部に折曲げ可能にしたことを特徴とするゴルフパター。
【請求項２】
前記請求項１に記載のゴルフパターにおいて、前記ヘッドの幅方向中央に前端から終端に向けてセンターリブを設け、前記終端を前記回転軸を中心とする円弧状に丸め、前記円弧状に丸めた終端面から若干の隙間を設けて前記アダプターの幅方向中央にラインリブを立ち上げて後端部まで伸ばし、前記センターリブ上面と前記ラインリブ上面をガイドラインとし、真上から見た時に前記ガイドラインが略１本の線として見える様にしたことを特徴とするゴルフパター。
【手続補正書】
【提出日】平成24年6月27日(2012.6.27)
【手続補正１】
【補正対象書類名】特許請求の範囲
【補正対象項目名】全文
【補正方法】変更
【補正の内容】
【特許請求の範囲】
【請求項１】
シャフトとヘッド部で構成され、前記ヘッド部の一部が上側に折曲げ可能なゴルフパターにおいて、前記ヘッド部はヘッドと高弾性樹脂材料からなるアダプタで構成され、前記ヘッドの前記シャフト取付け部より、打球方向の後方位置に、前記ヘッドの後端両側面と前記アダプタの前端両側面に設けたサイドリブ又はヒンジの互いの接合板面の、いずれか一方に回転軸穴と節度溝を設け、他方に前記回転軸穴と節度溝と係合する回転軸と突起リブを設け、前記アダプタの撓み変形を利用して前記ヘッドと前記アダプタの回転軸と節度機構を組合せ結合し、ゴルフパター不使用時には、前記回転軸を中心に、前記アダプタを前記ヘッドの上部で、前記シャフトの後部に折曲げ可能にしたことを特徴とするゴルフパター。
【請求項２】
前記請求項１に記載のゴルフパターにおいて、前記ヘッドの幅方向中央に前端から終端に向けてセンターリブを設け、前記終端を、前記回転軸を中心とする円弧状に丸め、前記円弧状に丸めた終端面から若干の隙間を設けて前記アダプタの幅方向中央にラインリブを立ち上げて後端部まで伸ばし、前記センターリブ上面と前記ラインリブ上面をガイドラインとし、真上から見た時に前記ガイドラインが略１本の線として見える様にしたことを特徴とするゴルフパター。